(57)【要約】【課題】搬送されて来た生コンクリートを打設して良いかどうか等の適正な判断をすることができる。【解決手段】生コンプラント１には書き込み手段１１が設置してあり、生コンクリートの配合に関するデータや、生コンクリートの練り混ぜ時刻に関するデータをＩＣタグ１０に書き込むようになっている。該ＩＣタグ１０は、生コン車３によって打設現場２まで搬送される。また、該打設現場２には、それらのデータをＩＣタグ１０から読み取るための読み取り手段１２が設置されていて、該読み取り手段１２により読み取られたデータは表示手段１３に表示されるようになっている。したがって、該表示手段１３には上述の各データが表示されることとなり、担当者は、搬送されて来た生コンクリートを打設して良いかどうか等の適正な判断をすることができる。【選択図】図１
2012122267.tif 000002
【特許請求の範囲】
【請求項１】
生コンプラントにて練り混ぜられた後に打設現場まで搬送されて打設される生コンクリートを管理するための生コンクリート管理システムにおいて、
前記生コンプラントから前記打設現場まで生コンクリートと共に搬送されるデータ記憶媒体と、
前記生コンプラントの側に配置されて、生コンクリートの配合に関するデータ、及び生コンクリートの練り混ぜ時刻に関するデータを前記データ記憶媒体に書き込むための書き込み手段と、
前記打設現場の側に配置されて、前記書き込み手段により書き込まれたデータを前記データ記憶媒体から読み取るための読み取り手段と、
前記打設現場の側に配置されて、前記読み取り手段により読み取られたデータを表示する表示手段と、
を備えたことを特徴とする生コンクリート管理システム。
【請求項２】
生コンクリートの練り混ぜ時刻に関するデータは、練り混ぜ開始時刻のデータ、練り混ぜ終了時刻のデータ、又は前記生コンプラントにおいて所定の作業を行った時刻に関するデータであって前記練り混ぜ開始時刻若しくは前記練り混ぜ終了時刻を計算により求めることができるデータである、
ことを特徴とする請求項１に記載の生コンクリート管理システム。
【請求項３】
前記表示手段は、生コンクリートの配合に関するデータと、生コンクリートの練り混ぜ時刻に関するデータと、生コンクリートを打設する複数の区画とを表示するように構成され、
生コンクリートを打設する区画を表示手段上で指定することに基づき、生コンクリートの配合に関するデータと、生コンクリートの練り混ぜ時刻に関するデータとが区画に関連付けて記憶手段に記憶されるように構成された、
ことを特徴とする請求項１又は２に記載の生コンクリート管理システム。
【請求項４】
前記データ記憶媒体は、前記生コンプラントから前記打設現場まで生コン車により搬送される、
ことを特徴とする請求項１乃至３のいずれか１項に記載の生コンクリート管理システム。
【請求項５】
生コンクリートは、前記打設現場にて前記生コン車からバケットに積み替えられる、
ことを特徴とする請求項４に記載の生コンクリート管理システム。
【請求項６】
前記表示手段は、パーソナルコンピュータのモニターである、
ことを特徴とする請求項１乃至５のいずれか１項に記載の生コンクリート管理システム。
【発明の詳細な説明】
【技術分野】
【０００１】
本発明は、生コンプラントにて練り混ぜられた後に打設現場まで搬送されて打設される生コンクリートを管理するための生コンクリート管理システムに関する。
【背景技術】
【０００２】
従来、ダム等のコンクリート構造物を構築するに際しては、次のような工程が実施されていた（例えば、特許文献１参照）。すなわち、
・  生コンプラントにて、予め計画されたスケジュールに沿って所定品質の生コンクリートを製造する工程
・  該製造した生コンクリートを生コン車によって打設現場まで搬送する工程
・  該搬送した生コンクリートを所定の打設箇所に打設する工程
【先行技術文献】
【特許文献】
【０００３】
【特許文献１】特開２００１−１６４７５４号公報
【発明の概要】
【発明が解決しようとする課題】
【０００４】
ところで、打設現場に搬送されて来た生コンクリートは、さらにバケットに積み替えられて搬送されたりするが、生コンクリートのデータに基づいて管理するシステムで適切なものは提案されていなかった。
【０００５】
本発明は、上述の問題を解消することのできる生コンクリート管理システムを提供することを目的とするものである。
【課題を解決するための手段】
【０００６】
請求項１に係る発明は、図１に例示するものであって、生コンプラント（１）にて練り混ぜられた後に打設現場（２）まで搬送されて打設される生コンクリートを管理するための生コンクリート管理システムにおいて、
前記生コンプラント（１）から前記打設現場（２）まで生コンクリートと共に搬送されるデータ記憶媒体（１０）と、
前記生コンプラント（１）の側に配置されて、生コンクリートの配合に関するデータ、及び生コンクリートの練り混ぜ時刻に関するデータを前記データ記憶媒体（１０）に書き込むための書き込み手段（１１）と、
前記打設現場（２）の側に配置されて、前記書き込み手段（１１）により書き込まれたデータを前記データ記憶媒体（１０）から読み取るための読み取り手段（１２）と、
前記打設現場（２）の側に配置されて、前記読み取り手段（１２）により読み取られたデータを表示する表示手段（１３）と、を備えたことを特徴とする。
【０００７】
請求項２に係る発明は、請求項１に係る発明において、生コンクリートの練り混ぜ時刻に関するデータが、練り混ぜ開始時刻のデータ、練り混ぜ終了時刻のデータ、又は前記生コンプラント（１）において所定の作業を行った時刻に関するデータであって前記練り混ぜ開始時刻若しくは前記練り混ぜ終了時刻を計算により求めることができるデータであることを特徴とする。
【０００８】
請求項３に係る発明は、請求項１又は２に係る発明において、前記表示手段（１３）は、生コンクリートの配合に関するデータ（図５の符号１３Ｂ参照）と、生コンクリートの練り混ぜ時刻に関するデータ（図５の符号１３Ｂ参照）と、生コンクリートを打設する複数の区画（図５の符号１３Ａ参照）とを表示するように構成され、
生コンクリートを打設する区画を表示手段上で指定することに基づき、生コンクリートの配合に関するデータと、生コンクリートの練り混ぜ時刻に関するデータとが区画に関連付けて記憶手段（不図示）に記憶されるように構成されたことを特徴とする。
【０００９】
請求項４に係る発明は、請求項１乃至３のいずれか１項に記載の発明において、前記データ記憶媒体（１０）が、前記生コンプラント（１）から前記打設現場（２）まで生コン車（３）により搬送されることを特徴とする。
【００１０】
請求項５に係る発明は、請求項４に係る発明において、生コンクリートが、前記打設現場（２）にて前記生コン車（３）からバケット（４）に積み替えられることを特徴とする。
【００１１】
請求項６に係る発明は、請求項１乃至５のいずれか１項に記載の発明において、前記表示手段（１３）が、パーソナルコンピュータのモニターであることを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１乃至５に係る発明によれば、生コンクリートを打設する打設現場では、生コンクリートの配合に関するデータと、該生コンクリートの練り混ぜ時刻に関するデータとが前記表示手段に表示されるので、それらのデータに基づき、搬送されて来た生コンクリートを打設して良いかどうか等の適正な判断をすることができる。
【図面の簡単な説明】
【００１４】
【図１】図１は、本発明に係る生コンクリート管理システムの全体構成の一例を示す模式図である。
【図２】図２は、本発明における作業の全体の流れを示すフローチャート図である。
【図３】図３は、生コンプラントにおける作業の一例を示すフローチャート図である。
【図４】図４は、打設現場における作業の一例を示すフローチャート図である。
【図５】図５は、表示手段に表示される画像の一例を示す模式図である。
【発明を実施するための形態】
【００１５】
以下、図１乃至図５に沿って、本発明の実施の形態について説明する。
【００１６】
本発明に係る生コンクリート管理システムは、生コンプラントにて練り混ぜられた後に打設現場まで搬送されて打設される生コンクリートを管理するためのシステムであり、具体的には、
・  生コンクリートの配合に関するデータと、
・  生コンクリートの練り混ぜ時刻に関するデータと、
に基づいて生コンクリートの打設を管理するシステムである。
【００１７】
本発明においては、次のような工程が実施される。すなわち、図２に示すように、
・  生コンプラントにて練り混ぜて生コンクリートを製造する工程（Ｓ１参照）
・  前記生コンプラントから打設現場（生コンクリートを打設してコンクリート構造物を建設する現場であって、例えば、ダムの建設現場）まで生コンクリートを生コン車によって搬送する工程（Ｓ２参照）
・  該打設現場内の所定場所（以下、“積み替え場”とする）にて該生コン車の生コンクリートをバケットに積み替える工程（Ｓ３参照）
・  生コンクリートを打設する箇所まで、前記バケット４に入れた状態の生コンクリートを搬送する工程（Ｓ４参照）
・  生コンクリートを打設する工程（Ｓ５参照）
【００１８】
なお、図１中の符号１は、生コンクリートを製造する生コンプラントを示し、符号２は打設現場を示し、符号３は、生コンクリートを前記生コンプラント１から前記打設現場２まで運搬する生コン車を示し、符号４は、該打設現場２にて生コンクリートが投入されるバケットを示し、符号５は、該バケット４を搬送する搬送機械（例えば、クローラクレーン）を示し、符号６は、生コンクリートを前記生コン車３から前記バケット４に積み替える積み替え場を示し、符号７は、生コンクリートを打設する打設箇所を示す。
【００１９】
そして、本発明に係る生コンクリート管理システムは、
・  前記生コンプラント１から前記打設現場２まで生コンクリートと共に搬送されるデータ記憶媒体１０と、
・  前記生コンプラント１の側（つまり、生コンプラント１内か、その近傍）に配置されて、生コンクリートに関するデータを前記データ記憶媒体１０に書き込むための書き込み手段１１と、
・  前記打設現場２の側（つまり、打設現場２の敷地内か、その近傍）に配置されて、前記書き込み手段１１により書き込まれたデータを前記データ記憶媒体１０から読み取るための読み取り手段１２と、
・  前記打設現場２の側に配置されて、前記読み取り手段１２により読み取られたデータを表示する表示手段（モニター）１３と、
を備えている。ここで、前記データ記憶媒体１０に書き込まれるデータとは、少なくとも、
・  生コンクリートの配合に関するデータと、
・  該生コンクリートの練り混ぜ時刻に関するデータと、
を含むものである。また、“生コンクリートの練り混ぜ時刻に関するデータ”とは、
・  練り混ぜ開始の時刻のデータ
・  練り混ぜ終了の時刻のデータ
・  前記生コンプラントにおいて所定の作業を行った時刻（例えば、生コンクリートを生コン車３に積載した時刻や、生コン車３が前記生コンプラント１を出発した時刻）に関するデータであって前記練り混ぜ開始時刻又は前記練り混ぜ終了時刻を計算により求めることができるデータ
等を意味する。さらに、前記データ記憶媒体１０には、上記のデータ以外に、生コン車を識別するための識別ＩＤ（例えば、識別用番号）や、生コン車の車番等を記憶させるようにしても良い。
【００２０】
本発明によれば、生コンクリートを打設する打設現場２では、生コンクリートの配合に関するデータと、該生コンクリートの練り混ぜ時刻に関するデータとが前記表示手段１３に表示されるので、それらのデータに基づき、搬送されて来た生コンクリートを打設して良いかどうか等の適正な判断をすることができる。
【００２１】
ところで、前記生コンプラント１においては図３の工程が順次実施される。すなわち、生コンクリートの練り混ぜを行い（Ｓ１１，Ｓ１２参照）、該練り混ぜた生コンクリートを生コン車３に積み込み（Ｓ１３参照）、生コンクリートに関するデータを前記データ記憶媒体１０に書き込み（Ｓ１４）、前記生コン車２が該データ記憶媒体１０と共に前記生コンプラント１を出発する（Ｓ１５参照）。なお、データ記憶媒体１０へのデータの書き込みは生コンクリートの積み込み後ではなく積み込み前に行っても良い。
【００２２】
なお、該データ記憶媒体１０としては、ＵＳＢメモリやＳＤカード等のような接触タイプの媒体であっても良いが、ＩＣタグ等のように近距離通信（例えば、ＴｙｐｅＡやＴｙｐｅＢと呼ばれる無線通信、Ｆｅｌｉｃａ（登録商標）通信、Ｂｌｕｅｔｏｏｔｈ（登録商標）通信、赤外線通信等）を使って非接触でデータの送受信を行う媒体を用いても良い。前者の接触タイプの記憶媒体の場合、セメントや泥が端子に付着することが故障の原因になり易いが、後者の非接触タイプの記憶媒体の場合にはそのような問題が無く好ましい。また、非接触タイプの記憶媒体の場合、接続したり取り外したりする操作をしなくてもデータの送受信が行えるので、その点においても都合が良い。
【００２３】
一方、前記書き込み手段１１は、上述の各種データを入力するデータ入力部１１０と、前記データ記憶媒体１０に対して該データを出力するデータ出力部１１１と、によって構成すると良い。前記データ入力部１１０としては、キーボードやマウスやモニターを備えたパーソナルコンピュータを挙げることができ、担当者がキーボードやマウスを使って各種データを入力するようにすると良い。また、前記データ出力部１１１としては、ＵＳＢ端子やＳＤカードスロットやＩＣタグ・ライタなどのようにデータ記憶媒体１０に応じた構成のものが選択される。なお、これらのデータ入力部１１０及びデータ出力部１１１は近接して配置しておく必要は無い。例えば、前記データ入力部１１０は生コンプラントの事務所に設置しておいて、前記データ出力部１１１は、生コン車３に生コンクリートを積載する場所や、生コンプラント１の出口などに配置しておくと良い。生コン車３に生コンクリートを積載する場所に該データ出力部１１１を設置した場合には、生コンクリートを生コン車３に積載するタイミングで（生コン車の運転手か、他の担当者が）前記データ出力部１１１を使って前記データ記憶媒体１０に前記データを書き込ませると良く、生コンプラントの出口に前記データ出力部１１１を設置した場合には、生コン車３が該出口を通る際に（生コン車の運転手か、他の担当者が）前記データ出力部１１１を使って前記データ記憶媒体１０に前記データを書き込ませると良い。
【００２４】
一方、上述の読み取り手段１２は、前記データ記憶媒体１０からデータ（つまり、生コンクリートの配合に関するデータと、生コンクリートの練り混ぜ時刻に関するデータ等）を読み取るデータ読み取り部１２０と、該データ読み取り部１２０が読み取ったデータを前記表示手段１３に送信するデータ送信部１２１と、によって構成すると良い。前記データ読み取り部１２０は、ＵＳＢ端子やＳＤカードスロットやＩＣタグ・リーダなどのようにデータ記憶媒体１０に応じた構成のものが選択される。また、前記データ送信部１２１としては、無線通信ユニット等を挙げることができる。なお、該読み取り手段１２と前記表示手段１３とは近接して配置しておく必要は無い。例えば、該表示手段１３は打設現場２の事務所に設置しておいて、前記読み取り手段１２は、前記積み替え場６（前記生コン車の生コンクリートをバケット４に積み替える場所）か、該積み替え場６の出入り口等に設置しておくと良い。前記読み取り手段１２を前記積み替え場６に設置した場合には、生コンクリートを生コン車３からバケット４に積み替える前か後のタイミングで（生コン車の運転手か、他の担当者が）前記データ記憶媒体１０から前記データ読み取り部１２０にデータを送るようにすると良く、前記読み取り手段１２を前記積み替え場６の出入り口等に設置した場合には、その設置場所にてデータを送るようにすると良い。これにより、前記データ記憶媒体１０に記憶されているデータが前記表示手段１３に表示されることとなる。その場合、前記データ記憶媒体１０に記憶されているデータだけでなく、前記データ記憶媒体１０から前記データ読み取り部１２０にデータを送る時点の時刻を前記表示手段１３に表示するようにしても良い。これにより、担当者は、該表示された時刻から“生コンクリートの積み替え時刻”を知ることができる（詳細は後述する）。
【００２５】
次に、打設現場２内での作業の一例を、図４に沿って説明する。
【００２６】
生コン車３が前記積み替え場６に到着すると（Ｓ３１参照）、運転手は前記読み取り手段１２を介して前記データ記憶媒体１０内のデータを前記表示手段１３に送信し（Ｓ３２参照）、他の作業者は生コン車３の生コンクリートをバケット４に積み替える（Ｓ３３参照）。前記表示手段１３には“生コンクリートの練り混ぜ時刻に関するデータ（例えば、出荷時刻データ）”が表示されるが、該表示を見た担当者は、“生コンクリートを練り混ぜた時刻（或いは、生コンクリートを出荷した時刻）”から“生コンクリートの積み替えを行った時刻”までに掛かった時間が基準時間（例えば、夏期は１．５時間、夏期以外は２．０時間）を超えているかどうかを判断する（Ｓ３４参照）。そして、該基準時間を超えている場合には他の作業者に指示を出して、バケット内の生コンクリートを廃棄処分とする（Ｓ３５参照）。
【００２７】
ところで、バケット４が、１台の生コン車３からの生コンクリートでは満杯にならず、後続の生コン車３からも生コンクリートが投入される場合がある。例えば、生コン車３の生コンクリートの積載容量を４．２ｍ３とし、バケット４の生コンクリートの積載容量を２．８ｍ３とした場合には、４．２ｍ３の生コンクリートの内の２．８ｍ３を投入すればバケット４は満杯となるが、生コン車３に残る生コンクリートは４．２−２．８＝１．４ｍ３となり、次にバケット４を満杯にするには、後続の生コン車３の生コンクリートを継ぎ足す必要がある。そのため、前記担当者（つまり、前記表示手段１３を見ている担当者）は、バケット４への生コンクリートの投入が１台の生コン車のみから行われたか、或いは２台の生コン車から行われたかを判断する（Ｓ３６参照）。前者の場合（つまり、バケット４への生コンクリートの投入が１台の生コン車のみから行われた場合）は搬送装置（例えば、クローラクレーン）５により該バケット４を打設箇所まで移動するように指示を出す（Ｓ４１参照）。これに対し、後者の場合（つまり、バケット４への生コンクリートの投入が２台の生コン車から行われた場合）は、２台の生コン車についての“生コンクリートの配合に関するデータ”がそれぞれ前記表示手段１３に表示されることとなるが、前記担当者は、その表示を見て、“１台目の生コン車の生コンクリートの配合”と“２台目の生コン車の生コンクリートの配合”とが同じかどうかを判断する（Ｓ３７参照）。そして、配合が異なる場合には、バケット内の生コンクリートを廃棄処分とする指示を出し（Ｓ３８参照）、配合が同じ場合には、搬送装置５により該バケット４を打設箇所まで移動するように指示を出す（Ｓ４１参照）。
【００２８】
次に、前記担当者は、“バケット４内の生コンクリートの配合”が打設箇所の配合（つまり、予定されている配合）に一致しているかどうかを判断し（Ｓ４２参照）、一致していない場合には打設箇所の変更を指示する（Ｓ４３参照）。一致している場合には、隣接区画の打設時刻（つまり、“生コンクリートを打設しようとしている区画”に隣接する区画であって、既に生コンクリートを打設した区画に関し、該打設の時刻）からの経過時間（つまり、打ち継ぎ時間）が基準時間（例えば、夏期は１．５時間、夏期以外は２．０時間）を超えているかどうかを判断する（Ｓ４４参照）。そして、該経過時間が基準時間内であればコンクリートの打設を指示し（Ｓ４５参照）、基準時間外であれば打設箇所の変更を指示する（Ｓ４６参照）。
【００２９】
ところで、前記読み取り手段１２からのデータは、前記表示手段１３に送信するだけでなく、ＬＡＮ又はネットワーク経由で所定のパーソナルコンピュータ又はサーバーに送信するようにすると良い。そして、そのデータ、例えば、
・  生コンクリートの配合に関するデータ
・  生コンクリートの練り混ぜ時刻に関するデータ
・  生コン車を識別するための識別ＩＤ（例えば、識別用番号）
・  生コン車の車番
が打設箇所に関連付けて記憶され、かつ、所定の追加データ、すなわち、
・  積み替え時刻
・  バケットの識別ＩＤ
・  打設時刻
も記憶されるようにすると良い。該追加データの入力は、ユーザーインターフェース（ドロップダウンリストやリストボックス）等によって行うようにすると良い。
【００３０】
なお、上述のようなデータのパーソナルコンピュータやサーバーへの入力は、次のような方法で行うようにしても良い。すなわち、表示手段１３には、図５に示すように、
・  生コンクリートを打設する複数の区画（例えば、生コンクリートを打設する全部の区画）を示した区画図（符号１３Ａ参照）と、
・  バケット４に投入されている生コンクリートについてのデータ（符号１３Ｂ参照。例えば、生コンクリートの配合に関するデータや、生コンクリートの練り混ぜ時刻に関するデータ）
とを表示するようにしておく。図示の区画図１３Ａにおける１から４３までの数字は打設予定順序を示す。また、符号１３Ｂで示す表には、２台の生コン車から投入された生コンクリートのデータが記載されている。担当者が、生コンクリートを次に打設する区画をタッチペンやマウスやキーボードを使って表示手段上で指定すると、表示されているデータ１３Ｂ（つまり、生コンクリートの配合に関するデータと、生コンクリートの練り混ぜ時刻に関するデータ）は該区画に関連付けられた状態でパソコン（記憶手段）内に記憶される。そして、全ての区画のコンクリート打設が完了した時点でデータをプリントアウトするようにすると良い。
【符号の説明】
【００３１】
１            生コンプラント
２            打設現場
３            生コン車
４            バケット
１０          データ記憶媒体
１１          書き込み手段
１２          読み取り手段
１３          表示手段
【図１】
2012122267.tif 000003
【図２】
2012122267.tif 000004
【図３】
2012122267.tif 000005
【図４】
2012122267.tif 000006
【図５】
2012122267.tif 000007